(57)【要約】      （修正有）【課題】車両情報の視認性を向上させた表示装置を提供することを目的とする。【解決手段】表示装置１０は、送風口２０Ａ、２０Ｂの外周に沿うように配置された発光手段３０Ａ、３０Ｂを含む。表示装置１０は、取得された車両情報（例えば、車両の傾斜角情報、タイヤの空気圧情報）に基づき発光手段３０Ａ、３０Ｂの発光を制御する。ユーザーは、発光手段３０Ａ、３０Ｂの発光状態から瞬時に車両の状態を視認することができる。【選択図】図１
2017206140.tif 000002
【特許請求の範囲】
【請求項１】
車内の送風口の外周に配置される発光手段と、
車両の状態に関する車両情報に基づき前記発光手段の発光を制御する制御手段と、
を有する表示装置。
【請求項２】
前記送風口は、前方座席近傍に、少なくとも第１の送風口と第２の送風口とを有し、前記発光手段は、前記第１の送風口の外周に配置される第１の発光手段と前記第２の送風口の外周に配置される第２の発光手段とを有し、前記制御手段は、第１の車両情報に基づき第１の発光手段の発光を制御し、かつ第１の車両情報と異なる第２の車両情報に基づき第２の発光手段の発光を制御する、請求項１に記載の表示装置。
【請求項３】
前記第１の車両情報は、車両の左右方向の傾斜角情報であり、前記第２の車両情報は、前記左右方向と垂直方向の傾斜角情報である、請求項２に記載の表示装置。
【請求項４】
前記制御手段は、前記傾斜角情報が正の角度を示すとき、前記第１および第２の発光手段の各第１の領域の発光を制御し、前記傾斜角情報が負の角度を示すとき、前記第１の領域と異なる第２の領域の発光を制御する、請求項３に記載の表示装置。
【請求項５】
前記第１の車両情報は、車両の左側のタイヤの空気圧情報であり、前記第２の車両情報は、車両の右側のタイヤの空気圧情報である、請求項２に記載の表示装置。
【請求項６】
前記制御手段は、第１の車両情報が車両の左側の前方のタイヤの空気圧情報を表すとき、前記第１の発光手段の第１の領域の発光を制御し、第１の車両情報が車両の左側の後方のタイヤの空気圧情報を表すとき、前記第１の発光手段の第１の領域と異なる第２の領域の発光を制御し、第２の車両情報が車両の右側の前方のタイヤの空気圧情報を表すとき、前記第２の発光手段の第１の領域の発光を制御し、第２の車両情報が車両の右側の後方のタイヤの空気圧情報を表すとき、前記第２の発光手段の第１の領域と異なる第２の領域の発光を制御する、請求項５に記載の表示装置。
【請求項７】
前記制御手段は、前記車両情報が表す大きさに応じて前記発光手段の発光素子が点灯する数を制御する、請求項１ないし６のうちいずれか１つに記載の表示装置。
【請求項８】
前記制御手段は、前記車両情報が規定された値を超えるとき、前記発光手段を通常と異なる態様で発光させる、請求項１ないし７のうちいずれか１つに記載の表示装置。
【請求項９】
第１の発光手段は、第１の発光色からなる発光素子を複数含み、第２の発光手段は、第１の発光色と異なる第２の発光色からなる発光素子を複数含む、請求項１ないし８のうちいずれか１つに記載の表示装置。
【請求項１０】
前記発光手段は、前記送風口に着脱可能な形状を有する、請求項１ないし９のうちいずれか１つに記載の表示装置。
【発明の詳細な説明】
【技術分野】
【０００１】
本発明は、車両情報に基づいてＬＥＤ等の発光素子を点灯させる表示装置に関し、特に、エアコン送風口の外周に配置された発光素子により車両の傾斜情報やタイヤの空気圧情報等の車両情報を表示する技術に関する。
【背景技術】
【０００２】
従来、オフロード等の傾斜変化が大きい道を走行中に、車両に及ぶ危険を視認して確認するため、車両の傾斜を表示する傾斜計を車両内に設置することがあった。また、傾斜計の表示と共に、他の情報、例えば、速度情報等をディスプレイに表示するものがあった。特許文献１は、このような情報表示装置を示すものであり、図１１に示すように車両の速度情報、エンジン回転数情報、加速度情報、角速度情報、横Ｇ情報、方向情報、時刻情報、トルク情報などとともに車両の傾斜角情報を画面に表示する技術を開示している。
【先行技術文献】
【特許文献】
【０００３】
【特許文献１】特開２００５−３４３２９９号公報
【発明の概要】
【発明が解決しようとする課題】
【０００４】
従来の傾斜計は、車両を中心とした環状のゲージで傾斜を表すものが多い。図１２に、環状ゲージを用いた従来の傾斜計の一例を示す。傾斜計１は、左右に一対の環状ゲージ２Ａ、２Ｂと、その中央にスケール３Ａ、３Ｂとを含む。左側の環状ゲージ２Ａは、車両の左右方向（進行方向と垂直方向）に関する傾斜を示し、その中央の車両４Ａが時計方向または反時計方向に回転したとき、車両４Ａの回転位置が示すスケール３Ａにより車両の左右方向の傾斜角を知ることができる。また、右側の環状ゲージ２Ｂは、車両の前後方向（進行方向）に関する傾斜を示し、その中央の車両４Ｂが時計方向または反時計方向に回転したとき、車両４Ｂの回転位置が示すスケール３Ｂにより車両の前後方向の傾斜角を知ることができる。このような環状ゲージ２Ａ、２Ｂを独立して配置することで視認性は向上するが、他方、構造的な機構で実現する場合には構成が複雑になり、液晶のようなデバイスで表示する場合にはコストが高くなってしまう。
【０００５】
特許文献１のように、車両の傾斜角情報を、他の計器類の情報（速度、エンジン回転数、燃料、時刻など）と一緒に同一画面内に表示することも検討されているが、このようなクラスター表示を行った場合、運転者からすると視認しなければならない情報が多くなってしまい、傾斜角情報を容易に識別することができず、ときにディストラクションに繋がる、という問題があった。
【０００６】
本発明は、このような従来の課題を解決するものであり、車両情報の視認性を向上させた表示装置を提供することを目的とする。
【課題を解決するための手段】
【０００７】
本発明に係る表示装置は、車内の送風口の外周に配置される発光手段と、車両の状態に関する車両情報に基づき前記発光手段の発光を制御する制御手段と、を有する。
【０００８】
好ましくは前記送風口は、前方座席近傍に、少なくとも第１の送風口と第２の送風口とを有し、前記発光手段は、前記第１の送風口の外周に配置される第１の発光手段と前記第２の送風口の外周に配置される第２の発光手段とを有し、前記制御手段は、第１の車両情報に基づき第１の発光手段の発光を制御し、かつ第１の車両情報と異なる第２の車両情報に基づき第２の発光手段の発光を制御する。好ましくは前記第１の車両情報は、車両の左右方向の傾斜角情報であり、前記第２の車両情報は、前記左右方向と垂直方向の傾斜角情報である。好ましくは前記制御手段は、前記傾斜角情報が正の角度を示すとき、前記第１および第２の発光手段の各第１の領域の発光を制御し、前記傾斜角情報が負の角度を示すとき、前記第１の領域と異なる第２の領域の発光を制御する。好ましくは前記第１の車両情報は、車両の左側のタイヤの空気圧情報であり、前記第２の車両情報は、車両の右側のタイヤの空気圧情報である。好ましくは前記制御手段は、第１の車両情報が車両の左側の前方のタイヤの空気圧情報を表すとき、前記第１の発光手段の第１の領域の発光を制御し、第１の車両情報が車両の左側の後方のタイヤの空気圧情報を表すとき、前記第１の発光手段の第１の領域と異なる第２の領域の発光を制御し、第２の車両情報が車両の右側の前方のタイヤの空気圧情報を表すとき、前記第２の発光手段の第１の領域の発光を制御し、第２の車両情報が車両の右側の後方のタイヤの空気圧情報を表すとき、前記第２の発光手段の第１の領域と異なる第２の領域の発光を制御する。好ましくは前記制御手段は、前記車両情報が表す大きさに応じて前記発光手段の発光素子が点灯する数を制御する。好ましくは前記制御手段は、前記車両情報が規定された値を超えるとき、前記発光手段を通常と異なる態様で発光させる。好ましくは第１の発光手段は、第１の発光色からなる発光素子を複数含み、第２の発光手段は、第１の発光色と異なる第２の発光色からなる発光素子を複数含む。好ましくは前記発光手段は、前記送風口に着脱可能な形状を有する。
【発明の効果】
【０００９】
本発明によれば、送風口の外周に発光手段を設け、車両情報に基づき当該発光手段の発光を制御するようにしたので、発光手段は他の計器類の表示とは隔絶された位置に配置されたことになるから、ユーザーは、車両情報を容易に認識することができる。また、本来はデッドスペースである送風口の外周に発光手段を配置することで、限られた車内スペースの有効活用となる。さらに簡易な構成で車両情報を表示できることができるためコストの低減も図ることが可能になる。
【図面の簡単な説明】
【００１０】
【図１】本発明の実施の形態に係る表示装置を例示する図である。
【図２】本実施例に係る表示装置のブロック図を示す図である。
【図３】本実施例に係るＬＥＤの配置を示す図である。
【図４】本実施例に係る制御プログラムの機能的な構成例を示す図である。
【図５】制御パターンの他の態様を示す図である。
【図６】本実施例に係る制御プログラムの動作を示すフロー図である。
【図７】本実施例の表示装置の表示例を示す図
【図８】本実施例の表示装置の他の表示例を示す図である。
【図９】本発明の第２の実施例の表示装置の発光手段の構成を示す図である。
【図１０】車両情報がタイヤ空気圧であるときの表示例を説明する図である。
【図１１】従来の傾斜角情報の表示例を示す図である。
【図１２】従来の環状ゲージの傾斜計を例示する図である。
【発明を実施するための形態】
【００１１】
次に、本発明の実施の形態について、図面を参照して詳細に説明する。本発明の実施の形態に係る表示装置は、車内の送風口（例えば、エアーコンディション）の外周または周囲に取付けられた発光手段を介して、車両の状態に関する情報を表示する。本発明の実施の形態に係る表示装置は、車両等に搭載されたナビゲーション装置、オーディオ・ビデオ装置、その他の車載電子装置と連携することも可能であり、車載電子装置を介して車両情報を取得することができる。送風口の位置、数、形態は任意であり、送風口は、例えば、前方座席近傍に位置し、あるいは車内前方のインスツルメンツパネルや表示ディスプレイの近傍に位置する。発光手段は、限定されないが、例えば、複数の発光素子を含んで構成され、発光素子は、例えば、ＬＥＤ（Light Emitting Diode）やレーザーダイオードから構成されることができる。
【実施例】
【００１２】
図１は、本発明の実施の形態に係る表示装置を例示する図である。本実施例の表示装置１０は、図１（Ａ）に示すように、車内の前方座席近傍、車載電子装置（例えば、ナビゲーション装置、オーディオ・ビデオ装置など）のディスプレイ５０の近傍、または速度やエンジン回転数等の情報を表示するインスツルメンツパネル５２の近傍に配置される。図１（Ｂ）は、表示装置１０の拡大図である。ここに示す例は、表示装置１０は、車載電子装置のディスプレイ５０の近傍に配置されている。より具体的には、表示装置１０は、ディスプレイ５０の下方に位置する左右の一対の送風口２０Ａ、２０Ｂの外周に取り付けられた一対の発光手段３０Ａ、３０Ｂを含む。送風口２０Ａと送風口２０Ｂとの間には、例えば、左右のウィンドウの開閉を行うための操作ボタン４０Ａ、４０Ｂが配置されている。
【００１３】
送風口２０Ａ、２０Ｂは、概ね円形状を有し、その外周または周囲に発光手段３０Ａ、３０Ｂが取り付けられる。ここには、円形状の送風口を示すが、これは一例であり、送風口の形状は、矩形状、三角形状、その他の形状であることができる。また、送風口の数は、２つに限らず、１つであってもよいし、あるいは３つ以上であってもよい。さらに送風口の位置は、必ずしもディスプレイ５０の近傍に限らず、インスツルメンツパネル５２の近傍、あるいは前方座席近傍であってもよい。
【００１４】
発光手段３０Ａ、３０Ｂは、リング形状またはドーナツ形状を有し、送風口２０Ａ、２０Ｂの外周に取り付けられる。発光手段３０Ａ、３０Ｂは、送風口２０Ａ、２０Ｂに着脱自在に取り付けられるものであってもよいし、固定されるものであってもよい。発光手段３０Ａは、第１の車両情報に基づき発光を制御され、発光手段３０Ｂは、第２の車両情報に基づき発光を制御される。運転者等のユーザーは、発光手段３０Ａ、３０Ｂの発光状態を見ることで車両状態を認識することができる。
【００１５】
図２は、本実施例に係る表示装置の電気的な構成を示すブロック図である。表示装置１０は、車両情報取得部１００、記憶部１１０、制御部１２０、駆動部１３０および発光手段３０Ａ、３０Ｂを有して構成される。
【００１６】
車両情報取得部１００は、車両の状態に関する車両情報を取得する。車両情報の取得の方法は問わないが、例えば、車内バスを介して車両情報を取得するようにしてもよいし、車載電子装置（例えば、ナビゲーション装置など）から車両情報を取得するようにしてもよい。本実施例の好ましい態様では、車両情報は、車両の傾斜に関する傾斜角情報やタイヤの空気圧に関する空気圧情報を含む。車両の傾斜角は、例えば、車両に搭載されたジャイロセンサにより測定することができ、タイヤの空気圧は、空気圧センサにより測定することができる。
【００１７】
傾斜角情報は、好ましくは、車両の前後方向（進行方向）の傾斜角と、車両の左右方向（進行方向と垂直方向）の傾斜角とを含み、傾斜角情報は、前後方向／左右方向の傾斜角の大きさと、傾斜角の向き（上り、下り、左右のいずれが高いか低いか）とを含む。また、空気圧情報は、好ましくは、車両のタイヤ毎（右前輪、左前輪、右後輪、左後輪等）の空気圧の大きさを含む。
【００１８】
記憶部１１０は、種々の情報を記憶することが可能であるが、ここでは、制御部１２０が実行するアプリケーションソフトウエアやそれに必要なデータを記憶することができる。制御部１２０は、車両情報取得部１００で取得された車両情報等に基づき駆動部１３０を介して発光手段３０Ａ、３０Ｂの発光を制御する。
【００１９】
図２（Ａ）は、表示装置１０が独自に制御部１２０を備える構成を示しているが、表示装置１０は、車載電子装置（例えば、ナビゲーション装置等）と連携して発光手段３０Ａ、３０Ｂの発光を制御することも可能である。両者が連携する場合の構成を図２（Ｂ）に示す。表示装置１０は、車載電子装置６０に含まれる車両情報取得部１００、記憶部１１０、制御部１２０および駆動部１３０の機能を利用する。この場合、制御部１２０は、車載電子装置６０の制御に加えて、発光手段３０Ａ、３０Ｂの発光の制御を行う。発光手段３０Ａ、３０Ｂは、接続部７０を介して駆動部１３０に電気的に接続され、駆動部１３０からの駆動信号により発光を制御される。
【００２０】
発光手段３０Ａ、３０Ｂは、図１に示すように送風口２０Ａ、２０Ｂの外周を取り囲むようなリング形状を有する。好ましい態様では、発光手段３０Ａ、３０Ｂは、それぞれ複数の発光素子を含み、発光素子は、例えば、発光ダイオードから構成される。図３に、発光手段３０Ａ、３０Ｂの一例を示す。なお、発光手段３０Ａと発光手段３０Ｂとは実質的に同一の構成であり、ここでは発光手段３０Ａについて説明する。発光手段３０Ａは、リング状の本体部分１４０と、複数の発光ダイオード１４２とを含む。ここには、一例として、８つの発光ダイオード１４２−１、１４２−２、・・・１４２−８が示されている。本体部分１４０の内径Ｄｎは、送風口２０Ａの外径Ｄｏにほぼ等しい。仮に、発光手段３０Ａが送風口２０Ａに対して着脱自在の構成であるとき、本体部分１４０の内側には、接続部分７０を構成するための第１の端子（図示省略）が形成され、送風口２０Ａの外側には第１の端子に電気的に接続する第２の端子（図示省略）が形成される。
【００２１】
各発光ダイオード１４２−１〜１４２−８は、本体部分１４０にほぼ等間隔（４５度間隔）で配置される。各発光ダイオード１４２−１〜１４２−８は、同一色（例えば、赤色）の発光波長帯を有する。ここで、１つの態様として、発光手段３０Ａと発光手段３０Ｂとは、同一色の発光ダイオードから構成され、他の態様として、発光手段３０Ａと発光手段３０Ｂとは、異なる色の発光ダイオードから構成される。例えば、発光手段３０Ａは、赤色の発光ダイオードから構成され、発光手段３０Ｂは、青色の発光ダイオードから構成される。
【００２２】
次に、本実施例の制御部１２０の発光制御について説明する。制御部１２０は、好ましい態様では、ＲＯＭ、ＲＡＭなどを含むマイクロコントローラ等から構成され、制御部１２０は、例えば、ＲＯＭまたはＲＡＭに格納された発光制御プログラムを実行することで、発光手段３０Ａ、３０Ｂの発光を制御することができる。図４に発光制御プログラムの動作シーケンスを示す。ここでは、車両情報として傾斜角情報が取得される例を説明する。
【００２３】
表示装置１０が動作可能な状態に置かれると、制御部１２０は、車両情報取得部１００から車両の傾斜角情報を取得する（Ｓ１００）。次に、制御部１２０は、取得した傾斜角情報を解読し、車両の左右方向の傾斜角情報か、前後方向の傾斜角情報かを判別する（Ｓ１１０）。車両の左右方向の傾斜角情報であれば、当該傾斜角情報に基づき第１の発光手段３０Ａの発光を制御し（Ｓ１２０）、車両の前後方向の傾斜角情報であれば、当該傾斜角情報に基づき第２の発光手段３０Ｂの発光を制御する（Ｓ１３０）。
【００２４】
図５は、図４のステップＳ１２０、Ｓ１３０に示す発光手段の制御の動作フローである。制御部１２０は、傾斜角情報に含まれる傾斜角の大きさ、および傾斜の向きを解読する（Ｓ２００）。次に、制御部１２０は、傾斜角の大きさが規定値以下であるか否かを判定し（Ｓ２１０）、規定値以下あれば、通常の発光制御を行い（Ｓ２２０）、つまり、傾斜角の大きさおよび向きに基づき発光手段３０Ａ、３０Ｂの発光を制御する。一方、傾斜角の大きさが規定値を超える場合には、制御部１２０は、異常を通知するための発光制御を行う（Ｓ２３０）。
【００２５】
次に、ステップＳ２２０の通常の発光制御の具体例について説明する。制御部１２０は、傾斜角の大きさおよび傾斜の向きが視認できるように発光手段３０Ａ、３０Ｂの発光を制御する。１つの例では、傾斜角の大きさに比例して発光手段の発光領域が大きくなるように制御をしたり、傾斜の向きによって発光手段の発光領域が異なるように制御する。図６（Ａ）、（Ｂ）は、制御部１２０による発光制御の一例である。傾斜角情報に含まれる傾斜の向きは、正（＋）または負（−）の２値情報である。すなわち、傾斜角情報が車両の前後方向に関するものであれば、その向きは、車両が前方から後方に向けて傾斜するか（上り）、あるいは後方から前方に向けて傾斜するか（下り）であり、傾斜角情報が車両の左右方向に関するものであれば、その向きは、車両が左から右に向けて傾斜するか、あるいは右から左に向けて傾斜するかである。制御部１２０は、図６（Ａ）に示すように、傾斜の向きが正（＋）であるとき、発光手段の上半分の４つの発光ダイオードの発光を制御し、傾斜の向きが負（−）であるとき、発光手段の下半分の４つの発光ダイオードの発光を制御する。
【００２６】
制御部１２０はまた、傾斜角情報に含まれる傾斜角の大きさθに応じて、発光ダイオードの点灯する数を可変する。１つの例として、０°≦θ＜５°のとき、１つの発光ダイオードを点灯させ、５°≦θ＜１０°のとき、２つの発光ダイオードを点灯させ、１０°≦θ＜２０°のとき、３つの発光ダイオードを点灯させ、２０°≦θ＜３０°のとき、４つの発光ダイオードを点灯させる。傾斜角θが３０度以上であるとき、これは、傾斜角が規定値を超えると判定され、制御部１２０は、５個の発光ダイオードを点滅させ、傾斜角が異常であることを知らせる（図５のステップＳ２３０）。
【００２７】
前方座席から近い距離にある送風口に発光手段を設けることで視認性が良好となり、そのような発光手段の発光を制御することで、ユーザーは、車両の傾斜角の大きさその向きを瞬時に知ることができる。また、通常の発光と異なる態様での発光により、車両の傾斜の異常を瞬時に知ることができる。さらに発光手段３０Ａと発光手段３０Ｂとの発光色を変えることで、車両の前後方向の傾斜と左右方向の傾斜を瞬時に識別することができる。
【００２８】
図７に、本実施例の表示装置の表示例を示す。図７（Ａ）は、発光手段３０Ａの拡大であり、図７（Ｂ）は、発光手段３０Ｂの拡大である。制御部１２０は、車両の左右方向の傾斜角情報に基づき発光手段３０Ａの発光を制御し、車両の前後方向の傾斜角情報に基づき発光手段３０Ｂの発光を制御する。図７（Ａ）に示すように、左右方向の傾斜角が＋３度であるとき、発光手段３０Ａの上半分の１つの発光ダイオードが点灯され、左右方向の傾斜角が−１０度であるとき、発光手段３０Ａの下半分の２つの発光ダイオードが点灯される。また、図７（Ｂ）に示すように、前後方向の傾斜角が＋３０度であるとき、上半分を含む５つの発光ダイオードが点灯され、即座に、異常を視認することができる。前後方向の傾斜角が−２０度であるとき、下半分の３つの発光ダイオードが点灯される。
【００２９】
図８に、本実施例の表示装置の他の表示例を示す。この例では、発光手段３０Ａは、傾斜角に異常があったときの情報を知らせ、発光手段３０Ｂは、通常の傾斜角の情報をしらせる。なお、発光手段３０Ａ、３０Ｂは、それぞれ１２個の発光素子を備えているものとする。図８（Ａ）に示すように、車両の前後方向の傾斜角が＋３５度以上（本例では、傾斜角の規定値が３５度）である場合に、発光手段３０Ａの上半分の発光ダイオードが点滅し、傾斜角の異常を知らせる。同様に、傾斜角が−３５度以上になると、発光手段３０Ｂの下半分の発光ダイオードが点滅し、傾斜角の異常を知らせる。傾斜角が規定値を超えない場合、図８（Ｂ）に示すように、傾斜角の大きさおよび向きに応じて発光手段３０Ｂの発光が制御される。本例の場合、通常、運転席側の発光手段３０Ｂの発光状態を確認することで傾斜角の度合いを知ることができ、発光手段３０Ａの点滅が生じた場合には、即座に傾斜角が異常であることを認識することができる。
【００３０】
次に、本発明の第２の実施例について説明する。第２の実施例では、図９（Ａ）に示すように、１つの発光手段は、２つの異なる発光色の発光ダイオードを備える。同図に示すＬＥＤ２００Ｇないし２００Ｎは、赤色に発光するＬＥＤと青色に発光するＬＥＤの一対のＬＥＤを包含する。制御部１２０は、図９（Ｂ）に示すテーブルに従い、傾斜角θの大きさに応じて、発光手段の発光を制御する。例えば、傾斜の向きが＋であり、傾斜角θが０度以上５度未満のとき、１個のＬＥＤ（２００Ｇ）を青色で点灯し、５度以上１０度未満であれば２個のＬＥＤ（２００Ｇ、２００Ｈ）を青色で点灯する。傾斜角θが２０度以上３０度未満であれば、ＬＥＤ２００Ｇ、２００Ｈ、２００Ｉ、２００Ｊを赤色で点灯させ、傾斜角が非常に大きいことを発光色で注意喚起する。傾斜角θが３０度以上の場合は、例えば、２００Ｇないし２００Ｋの５つのＬＥＤを赤色で点滅させる。
【００３１】
上記実施例では、車両情報として傾斜角情報に基づき発光手段３０Ａ、３０Ｂの発光を制御する例を示したが、車両情報としてタイヤの空気圧情報を用いた場合にも、同様に発光手段３０Ａ、３０Ｂの発光を制御するようにしてもよい。すなわち、制御部１２０は、車両情報としてタイヤの空気圧情報が取得されたとき、取得されたタイヤの空気圧情報の大きさに応じて発光ダイオードの点灯する数を可変する。また、空気圧が許容範囲を逸脱する場合には、発光ダイオードを点滅させて注意を喚起するようにしてもよい。図１０に示すように、発光手段３０Ａの上半分の領域が左前輪タイヤの空気圧を表し、下半分が左後輪タイヤの空気圧を表し、発光手段３０Ｂの上半分が右前輪タイヤの空気圧を表し、下半分が右後輪タイヤの空気圧を表すように、発光手段３０Ａ、３０Ｂの発光が制御される。
【００３２】
このように、本実施例に係る表示装置１０は、前方座席近傍のエアコン吹き出し口等の送風口に配置され、他の計器類等の表示とは隔絶されるため、車両情報の視認が容易になる。また、表示装置を簡易な構成にすることでコストの低減を図ることができる。更に、本来はデッドスペースであるエアコンの吹き出し口（送風口）の周囲に発光手段を配置するため、限られた車内スペースを有効に活用することができる。
【００３３】
上記実施例では、円形の送風口を例示したが、送風口の形状は、任意の形状であることができる。また、発光手段を構成する発光素子の数、配置、色等は任意に決定することができる。さらに発光手段の発光の制御方法は、上記実施例の方法に限定されるものではない。
【００３４】
以上、本発明の好ましい実施の形態について詳述したが、本発明は、特定の実施形態に限定されるものではなく、特許請求の範囲に記載された発明の要旨の範囲において、種々の変形、変更が可能である。
【符号の説明】
【００３５】
１０：表示装置                    ２０Ａ、２０Ｂ：送風口
３０Ａ、３０Ｂ：発光手段            ５０：ディスプレイ
１００：車両情報取得部              １１０：記憶部
１２０：制御部                      １３０：駆動部
【図１】
2017206140.tif 000003
【図２】
2017206140.tif 000004
【図３】
2017206140.tif 000005
【図４】
2017206140.tif 000006
【図５】
2017206140.tif 000007
【図６】
2017206140.tif 000008
【図７】
2017206140.tif 000009
【図８】
2017206140.tif 000010
【図９】
2017206140.tif 000011
【図１０】
2017206140.tif 000012
【図１１】
2017206140.tif 000013
【図１２】
2017206140.tif 000014